(57)【要約】【課題】大工職方と電気職方との作業区分を明確化できるとともに、配線を鋼板製の間仕切ランナーに形成された挿通孔に挿通する際に、配線が挿通孔の周縁に接触し、傷付くことを防止できるようにしながら、配線作業を容易に行うことができ、しかも複数本の配線でも纏めて容易に保持させることができる天井貫通部の配線具を提供すること。【解決手段】天井懐２から下方の間仕切壁４内へ引き込む複数本の配線５を保持するための天井貫通部３ａ，２５ａの配線具１であって、天井懐２から間仕切壁４内への複数本の配線５の引き込み経路に配されるホルダ１０を備え、このホルダ１０を、天井懐２に下地材として配設された野縁９Ａに固定される固定ホルダ部１０ａと、この固定ホルダ部１０ａに対して開閉可能な可動ホルダ部１０ｂとで構成し、これらホルダ部１０ａ，１０ｂの間に複数本の配線５を挟むようにして固定ホルダ部１０ａに対し可動ホルダ部１０ｂを閉じることでそれら配線５を保持するものとする。【選択図】図１
2015119512.tif 000002
【特許請求の範囲】
【請求項１】
天井懐から下方の間仕切壁内へ引き込む配線を保持するための天井貫通部の配線具であって、天井懐から間仕切壁内への配線の引き込み経路に配されるホルダを備え、このホルダを、天井懐に配設された下地材に固定される固定ホルダ部と、この固定ホルダ部に対して開閉可能な可動ホルダ部とで構成し、これらホルダ部の間に配線を挟むようにして固定ホルダ部に対し可動ホルダ部を閉じることで配線を保持するようにしたことを特徴とする天井貫通部の配線具。
【請求項２】
固定ホルダ部を、この固定ホルダ部から上方に延設した支持部材を介して下地材に固定するようにしたことを特徴とする請求項１記載の天井貫通部の配線具。
【請求項３】
天井懐から下方の間仕切壁内へ引き込む配線を保持するための天井貫通部の配線具の取付構造であって、前記配線具は、天井懐から間仕切壁内への配線の引き込み経路に配されるホルダを備え、このホルダは、天井懐に配設された下地材に固定される固定ホルダ部と、この固定ホルダ部に対して開閉可能な可動ホルダ部とで構成され、これらホルダ部の間に配線を挟むようにして固定ホルダ部に対し可動ホルダ部を閉じることで配線を保持するようにされており、該配線具の固定ホルダ部を前記下地材に固定するようにしたことを特徴とする天井貫通部の配線具の取付構造。
【請求項４】
前記可動ホルダ部は、前記下地材の下面より低い高さに位置できるように設けられていることを特徴とする請求項３記載の天井貫通部の配線具の取付構造。
【発明の詳細な説明】
【技術分野】
【０００１】
本発明は、天井懐から下方の間仕切壁内へ引き込む配線を所定の位置で保持するための配線具及びその取付構造に関し、特に、複数本の配線を纏めて保持するのに用いられて好適な配線具及びその取付構造に関するものである。
【背景技術】
【０００２】
一般的に、間仕切壁に電気コンセント等の接続部を設けるために、その間仕切壁の内部に電気配線、電話線、ＬＡＮケーブル等の配線（以下、本明細書において、単に、「配線」という。）が通されている。そして、これらの配線は、天井懐から天井を貫通して間仕切壁内に引き込まれている。
【０００３】
そして、天井懐から間仕切壁内へ引き込む配線を所定の位置で保持するために、例えば、特許文献１にて提案されている配線具がある。
【先行技術文献】
【特許文献】
【０００４】
【特許文献１】特開２００９−１５３３２６号公報
【発明の概要】
【発明が解決しようとする課題】
【０００５】
上記特許文献１に係る配線具は、天井懐で互いに隣り合うように平行に配設された２本の野縁等の下地材の間に架け渡される配線板を備え、この配線板に予め設けられた挿入孔にスリーブ管を嵌め込み装着し、このスリーブ管に配線を通すことでその配線を保持するようにされている。
【０００６】
ところで、この配線具を用いた配線作業においては、配線の引き込み側の一端を、スリーブ管の上部開口の上方に持っていき、その上部開口を通して下部開口から下方へと引き出すようにしている。
【０００７】
このため、上記の配線具では、配線の一端を高い位置に持っていき、スリーブ管の上部開口を通さなければ、スリーブ管で配線を保持させることができず、配線作業を容易に行うことができないという問題点がある。
また、上記の配線具では、複数本の配線を纏めて保持させるのが難しいという問題点もある。
すなわち、例えば、複数本の配線を同時にスリーブ管に通す場合には、持ち上げる配線の重量が嵩む上に、スリーブ管の開口に複数本の配線を纏めて同時に通すのが本数によってはスリーブ管の開口面積との関係で困難なものとなる。
また、複数本の配線を１本ずつスリーブ管に通す場合には、先に挿通された配線によってスリーブ管内の通路が配線の本数が増えるに従って狭くなり、先に挿通された配線と擦れるなどして配線を通す作業が次第に難しくなる。
【０００８】
また、天井懐から間仕切壁内に配線を引き込む作業においては、大工職方と電気職方の作業が混在しており、双方が入替わり立代わり作業を行うため作業効率が低下したり、施工不良が生じた際には責任の所在が不明確となるともに、作業効率が低下するという問題があった。
【０００９】
さらに、配線を間仕切壁内に引き込む際に、配線を鋼板製の間仕切ランナーに形成された挿通孔に挿通する必要があるが、配線が挿通孔の周縁（切断面）に接触し、傷付くという問題があった。
【００１０】
本発明は、前述のような問題点に鑑みてなされたもので、大工職方と電気職方との作業区分を明確化できるとともに、配線を鋼板製の間仕切ランナーに形成された挿通孔に挿通する際に、配線が挿通孔の周縁に接触し、傷付くことを防止できるようにしながら、配線作業を容易に行うことができ、しかも複数本の配線でも纏めて容易に保持させることができる天井貫通部の配線具及びその取付構造を提供することを目的とする。
【課題を解決するための手段】
【００１１】
上記目的を達成するため、本発明の天井貫通部の配線具は、天井懐から下方の間仕切壁内へ引き込む配線を保持するための天井貫通部の配線具であって、天井懐から間仕切壁内への配線の引き込み経路に配されるホルダを備え、このホルダを、天井懐に配設された下地材に固定される固定ホルダ部と、この固定ホルダ部に対して開閉可能な可動ホルダ部とで構成し、これらホルダ部の間に配線を挟むようにして固定ホルダ部に対し可動ホルダ部を閉じることで配線を保持するようにしたことを特徴とする。
【００１２】
この場合において、固定ホルダ部を、この固定ホルダ部から上方に延設した支持部材を介して下地材に固定するようにすることができる。
【００１３】
また、本発明の天井貫通部の配線具の取付構造は、天井懐から下方の間仕切壁内へ引き込む配線を保持するための天井貫通部の配線具の取付構造であって、前記配線具は、天井懐から間仕切壁内への配線の引き込み経路に配されるホルダを備え、このホルダは、天井懐に配設された下地材に固定される固定ホルダ部と、この固定ホルダ部に対して開閉可能な可動ホルダ部とで構成され、これらホルダ部の間に配線を挟むようにして固定ホルダ部に対し可動ホルダ部を閉じることで配線を保持するようにされており、該配線具の固定ホルダ部を前記下地材に固定するようにしたことを特徴とする。
【００１４】
この場合において、前記可動ホルダ部は、前記下地材の下面より低い高さに位置できるように設けるようにすることができる。
【発明の効果】
【００１５】
本発明の天井貫通部の配線具及びその取付構造によれば、可動ホルダ部が開かれた状態の固定ホルダ部の内側位置に、天井懐からの配線を垂れ下がり状態で配し、それらホルダ部の間に配線を挟むようにして固定ホルダ部に対し可動ホルダ部を閉じることで配線がホルダによって保持される。
このため、大工職方と電気職方との作業区分を明確化できるとともに、配線を鋼板製の間仕切ランナーに形成された挿通孔に挿通する際に、配線が挿通孔の周縁に接触し、傷付くことを防止できるようにしながら、同配線具のように、配線の一端を高い位置に持っていきスリーブ管の上方からその内部を通して下方へと引き抜くといった困難な作業が不要で、天井懐からの１本あるいは複数本の配線を垂れ下がり状態で固定ホルダ部の内側位置へとスライド移動させ、その後、固定ホルダ部に対し可動ホルダ部を閉じるといった簡単な動作で配線をホルダで保持させることができる。
したがって、配線作業を容易に行うことができ、しかも複数本の配線でも纏めて容易に保持させることができる。
【００１６】
また、固定ホルダ部を、この固定ホルダ部から上方に延設した支持部材を介して下地材に固定するようにし、これにより、可動ホルダ部を下地材の下面より低い高さに位置できるように設けるようにすることによって、可動ホルダ部の開閉動作時にその可動ホルダ部が該下地材に干渉して開閉に支障をきたすことを確実に防ぐことができ、たとえ該下地材がホルダに接近した位置に配されていたとしても、可動ホルダ部を開閉することができる。
【図面の簡単な説明】
【００１７】
【図１】本発明の一実施形態に係る天井貫通部の配線具を用いた配線施工状態図である。
【図１Ａ】本発明の変形実施形態に係る天井貫通部の配線具を用いた配線施工状態図である。
【図２】同配線具のホルダの開閉構造説明図である。
【図３】同配線具を用いた配線施工法の工程説明図である。
【図４】同配線具の使用方法の説明図である。
【図５】可動ホルダ部とその開き側に位置する野縁との位置関係を示す図である。
【発明を実施するための形態】
【００１８】
次に、本発明の天井貫通部の配線具及びその取付構造の実施の形態を、図面に基づいて説明する。
【００１９】
＜配線具の概略説明＞
図１に示される配線具１は、天井懐２から所要枚数（本例では１枚。なお、必要に応じて、図１Ａに示す変形実施形態にように、同材質又は異なる材質の複数枚（同例では３枚。））の天井板３の挿通孔（天井貫通部）３ａを通して、その天井板３の下面側に垂設される間仕切壁４内へ引き込む所要本数（本例では３本）の配線５を保持するためのものであって、天井懐２において、下地材として所定の間隔を有して平行に並設される２本の野縁９Ａ，９Ｂの間の配線経路途中に配設されている。
なお、野縁９Ａ，９Ｂは、上下左右に配される上側板部９ａ、下側板部９ｂ、左側板部９ｃ及び右側板部９ｄを有し、図１の紙面に対し垂直に貫く方向に延びる四角筒状部材で構成されている。
【００２０】
＜ホルダの説明＞
この配線具１は、天井懐２から間仕切壁４内への配線５の引き込み経路途中で天井板３の挿通孔３ａ内に配されるホルダ１０を備えている。
ホルダ１０は、上下に開口された円筒形状とされ、一方の野縁９Ａと他方の野縁９Ｂとの間でそれら野縁９Ａ，９Ｂに平行な鉛直面の位置で開放可能に構成された固定ホルダ部１０ａと可動ホルダ部１０ｂとにより構成されている。
固定ホルダ部１０ａは、一方の野縁９Ａ側に配されて支持部材１１を介してその野縁９Ａに固定されている。
このように、固定ホルダ部１０ａを、固定ホルダ部１０ａから上方に延設した支持部材１１を介して野縁９Ａに固定するようにすることにより、可動ホルダ部１０ｂを野縁９Ｂの下面より低い高さに位置できるように設けるようにすることによって、可動ホルダ部１０ｂの開閉動作時にその可動ホルダ部１０ｂが他方の野縁９Ｂに干渉して開閉に支障をきたすことを確実に防ぐことができ、たとえ該野縁９Ｂがホルダ１０に接近した位置に配されていたとしても、可動ホルダ部１０ｂを固定ホルダ部１０ａに対して開閉することができる。
なお、本実施形態の配線具１においては、可動ホルダ部１０ｂの上端位置が、野縁９Ｂの下側板部９ｂよりも低く高さ位置に配されるように、固定ホルダ部１０ａに対する取付位置や、長さ寸法等が定めるようにしている。
【００２１】
＜ホルダの支持部材の説明＞
支持部材１１は、主に、張出板部１１ａ、縦板部１１ｂ及び横板部１１ｃにより構成されている。
ここで、張出板部１１ａは、固定ホルダ部１０ａの上端外周部位に、外向きに張り出すように一体的に設けられている。
また、縦板部１１ｂは、鉛直方向に延びて野縁９Ａの右側板部９ｄに押し当て可能で、張出板部１１ａにおける野縁９Ａの右側板部９ｄに向かう先端部位に一体的に連設されている。
また、横板部１１ｃは、野縁９Ａの上側板部９ａに押し当て可能で、縦板部１１ｂの上端部位に一体的に連設されている。
この支持部材１１においては、横板部１１ｃの下面に予め貼り付けられた両面粘着テープ１２によって野縁９Ａの上側板部９ａに貼着するとともに、縦板部１１ｂがビス１３によって野縁９Ａの右側板部９ｄに締結・固定されている。こうして、固定ホルダ部１０ａは、支持部材１１を介して野縁９Ａに固定される。
なお、上記固着手段は、野縁の材質等に応じて適宜選択して使用することができ、両面粘着テープ１２及びビス１３の一方のみを用いるようにしたり、他の公知の固着手段を用いるようにすることもできる。
【００２２】
＜ホルダの開閉構造の説明＞
図２（ｂ）に示されるように、固定ホルダ部１０ａ及び可動ホルダ部１０ｂにおける互いの一側縁部同士は、ヒンジ１５によって接合されている。
そして、図２（ａ）（ｂ）に示されるように、可動ホルダ部１０ｂは、固定ホルダ部１０ａに対し、閉位置（同図（ａ）参照）と開位置（同図（ｂ）参照）との間でヒンジ１５を中心に横方向に回動可能とされている。
【００２３】
＜ホルダの開閉ロック構造の説明＞
図２（ｂ）に示されるように、固定ホルダ部１０ａの他側部には、後述する可撓舌状部片２２が嵌り込むことが可能な凹部２０が形成され、この凹部２０の縁部に縦長の係止突起２１が設けられている。
可動ホルダ部１０ｂの他側部には、人の手指等の操作で外側に撓ませることが可能な可撓舌状部片２２が設けられている。
可撓舌状部片２２には、固定ホルダ部１０ａに対して可動ホルダ部１０ｂが図２（ａ）に示されるような閉位置となったときに係止突起２１と係合する縦長の係止孔２３が設けられている。
可撓舌状部片２２の先端部には、可動ホルダ部１０ｂの閉じ動作にて該先端部が係止突起２１に接触したときに、閉じ操作力の一部が可撓舌状部片２２を外側に撓ませるような力に変換されるようにテーパ面２２ａが設けられている。
そして、この閉じ動作時に、該テーパ面２２ａと当接するテーパ面２１ａが係止突起２１に設けられ、後述するロック動作がスムーズに行われるようにしている。
なお、本実施形態の配線具１の固定ホルダ部１０ａと可動ホルダ部１０ｂとを接合するヒンジ１５に代えて、上記開閉ロック構造を採用することによって、固定ホルダ部１０ａと可動ホルダ部１０ｂとを分離、接合するように構成することもできる。
【００２４】
＜ホルダの閉操作の説明＞
固定ホルダ部１０ａに対して可動ホルダ部１０ｂを閉じてロックするには、可動ホルダ部１０ｂを図２（ａ）に示されるような閉位置に向けてヒンジ１５の回りに回動操作し、可撓舌状部片２２が係止突起２１に突き当ったら、さらにその回動方向に沿って可動ホルダ部１０ｂを押し込んでいく。すると、可撓舌状部片２２が、その先端部に設けられたテーパ面２２ａと係止突起２１のテーパ面２１ａとの作用により外側に撓み、該テーパ面２２ａが係止突起２１を乗り越えてさらに可撓舌状部片２２が押し込み方向に進めば、係止孔２３に係止突起２１が嵌り込み、これによって固定ホルダ部１０ａに対し可動ホルダ部１０ｂが閉位置でロックされることになる。
【００２５】
＜ホルダの開操作の説明＞
固定ホルダ部１０ａに対して可動ホルダ部１０ｂをロック解除して開くには、図２（ａ）に示されるような状態において、可撓舌状部片２２を人の手指等の操作で外側に撓ませることにより、係止孔２３に係止突起２１が嵌り込んでいる状態から係止突起２１がその係止孔２３から抜け出した状態とし、その状態をしばらく維持しながら可動ホルダ部１０ｂを図２（ｂ）に示されるような開位置に向けてヒンジ１５の回りに回動操作する。
なお、固定ホルダ部１０ａには、凹部２０が設けられているので、可撓舌状部片２２に人の手指等が掛け易くなり、ホルダ１０の開操作をより容易に行うことができる。
【００２６】
＜配線施工法の説明＞
次に、以上に述べたように構成される配線具１を用いた天井貫通部（挿通孔３ａ）の配線施工法について、主に図３及び図４を用いて以下に説明する。
【００２７】
まず、図３（ａ）に示されるように、配線５の引き込み予定経路にホルダ１０が位置するように、一方の野縁９Ａと他方の野縁９Ｂとの間の配線予定経路途中に配線具１を持っていき、この配線具１を一方の野縁９Ａに対し、両面粘着テープ１２、ビス１３等の固着手段を用いて固定する。
【００２８】
次いで、図４（ａ）に示されるように、固定ホルダ部１０ａに対し可動ホルダ部１０ｂを開位置とした状態において、天井懐２から垂れ下がった状態の複数本の配線５を固定ホルダ部１０ａの内側位置へとスライド移動させて配し、その後、同図（ｂ）〜（ｄ）に示されるように、固定ホルダ部１０ａと可動ホルダ部１０ｂとの間にそれら配線５を挟むようにして固定ホルダ部１０ａに対し可動ホルダ部１０ｂを閉じていき、係止突起２１と係止孔２３とを係合させることによりロックする。
【００２９】
次いで、図３（ｂ）に示されるように、例えば、石膏ボード等よりなる所要の天井板３を、その挿通孔３ａにホルダ１０が挿入状態となるようにして、野縁９Ａ，９Ｂの下面側に取り付ける。
その後、図３（ｃ）に示されるように、ホルダ１０が挿通可能で天井板３の挿通孔３ａに対応する挿通孔２５ａを有する間仕切ランナー２５を、その挿通孔２５ａにホルダ１０が挿通状態となるようにして、天井板３の下面側に取り付ける。
そして、図１に示されるように、間仕切ランナー２５に間仕切壁４を取り付ける。
こうして、天井懐２から下方の間仕切壁４内へ引き込む複数本の配線５を配線具１で所定の位置に保持させることができる。
【００３０】
＜作用効果の説明＞
本実施形態の配線具１によれば、図４（ａ）〜（ｄ）に示されるように、天井懐２からの複数本の配線５を垂れ下がり状態で固定ホルダ部１０ａの内側位置へとスライド移動させ、その後、固定ホルダ部１０ａに対し可動ホルダ部１０ｂを閉じるといった簡単な動作でそれら配線５をホルダ１０で保持させることができる。
したがって、従来のように、配線の一端を高い位置に持っていきスリーブ管の上方からその内部を通して下方へと引き抜くといった困難な作業が不要であり、複数本の配線５でもワンタッチで纏めて保持して、配線作業を容易に行うことができる。
【００３１】
また、図５に示されるように、可動ホルダ部１０ｂは、その開き側に位置する他方の野縁９Ｂの下面（下側板部９ｂ）よりも低い高さに位置できるように設けられているので、可動ホルダ部１０ｂの開閉動作時に野縁９Ｂと干渉するのを確実に防ぐことができ、たとえ野縁９Ｂがホルダ１０に接近した位置に配されていたとしても、可動ホルダ部１０ｂを開閉することができる。
【００３２】
以上、本発明の天井貫通部の配線具及びその取付構造について、その一実施形態に基づいて説明したが、本発明は上記実施形態に記載した構成に限定されるものではなく、例えば、配線具の固定ホルダ部を、野縁以外の下地材に固定することによって配線具を設置するようにする等、その趣旨を逸脱しない範囲において適宜その構成を変更することができるものである。
【産業上の利用可能性】
【００３３】
本発明の天井貫通部の配線具及びその取付構造は、複数本の配線でも纏めて容易に保持させることができるという特性を有していることから、間仕切壁内への配線作業の合理化の用途に好適に用いることができる。
【符号の説明】
【００３４】
１  配線具
２  天井懐
３  天井板
３ａ  挿通孔（天井貫通部）
４  間仕切壁
５  配線
９Ａ  野縁（下地材）
９Ｂ  野縁（下地材）
１０  ホルダ
１０ａ  固定ホルダ部
１０ｂ  可動ホルダ部
１１  支持部材
２５    間仕切ランナー
２５ａ  挿通孔（天井貫通部）
【図１】
2015119512.tif 000003
【図１Ａ】
2015119512.tif 000004
【図２】
2015119512.tif 000005
【図３】
2015119512.tif 000006
【図４】
2015119512.tif 000007
【図５】
2015119512.tif 000008